(57)【要約】【課題】カバー部材を本体の背面に対して簡単かつ確実に固定して保持することができ、簡単には外れないカバー部材の保持構造および電子機器を提供すること。【解決手段】本体１２の背面２４を覆うカバー部材２０を本体１２に固定して保持するカバー部材２０の保持構造１１０であり、間隔をおいて本体１２に設けられている一対の第１取り付け凹部６０，６１と、間隔をおいて本体１２に設けられている一対の第２取り付け凹部７０，７１と、カバー部材２０において突出して設けられ一対の第１取り付け凹部６０，６１に対してそれぞれカバー部材２０をスライドしてはめ込まれて固定される一対の第１突起部９０，９１と、カバー部材２０において突出して設けられ一対の第２取り付け凹部７０，７１に対してそれぞれカバーのスライド方向とは異なる方向にカバー部材２０を押し込むことではめ込まれて固定される一対の第２突起部１００，１０１を備える。【選択図】　　　　図２
2004119622.tif 000002
【特許請求の範囲】
【請求項１】
本体に対して前記本体の背面を覆うためのカバー部材を固定して保持するためのカバー部材の保持構造であり、
間隔をおいて前記本体に設けられている一対の第１取り付け凹部と、
間隔をおいて前記本体に設けられている一対の第２取り付け凹部と、
前記カバー部材において突出して設けられ前記一対の第１取り付け凹部に対してそれぞれ前記カバー部材をスライドすることではめ込まれて固定される一対の第１突起部と、
前記カバー部材において突出して設けられ前記一対の第２取り付け凹部に対してそれぞれ前記カバーのスライド方向とは異なる方向に前記カバー部材を押し込むことではめ込まれて固定される一対の第２突起部と、
を備えることを特徴とするカバー部材の保持構造。
【請求項２】
前記本体は、前記一対の第１取り付け凹部を前記カバー部材のスライドする方向にそって直接目視するための目視用の凹部を有する請求項１に記載のカバー部材の保持構造。
【請求項３】
前記第１取り付け凹部は、前記第１突起部の先端部をはめ込んで弾性的に保持して前記カバー部材が前記スライド方向に移動するのを阻止するための弾性保持部を有する請求項１に記載のカバー部材の保持構造。
【請求項４】
前記本体の前面側には画像を表示する画像表示部を有し、前記画像表示部は液晶表示部である請求項１に記載のカバー部材の保持構造。
【請求項５】
前記一対の第１突起部と前記一対の第２突起部は、前記一対の第１突起部の前記スライドする方向とは反対の方向にスライドすることで、前記一対の第１取り付け凹部と前記一対の第２取り付け凹部から取り外し自在である請求項１に記載のカバー部材の保持構造。
【請求項６】
本体に対して前記本体の背面を覆うためのカバー部材を固定して保持するためのカバー部材の保持構造を有する電子機器であり、
前記カバー部材の保持構造は、
間隔をおいて前記本体に設けられている一対の第１取り付け凹部と、
間隔をおいて前記本体に設けられている一対の第２取り付け凹部と、
前記カバー部材において突出して設けられ前記一対の第１取り付け凹部に対してそれぞれ前記カバー部材をスライドすることではめ込まれて固定される一対の第１突起部と、
前記カバー部材において突出して設けられ前記一対の第２取り付け凹部に対してそれぞれ前記カバーのスライド方向とは異なる方向に前記カバー部材を押し込むことではめ込まれて固定される一対の第２突起部と、
を備えることを特徴とする電子機器。
【請求項７】
前記本体は、前記一対の第１取り付け凹部を前記カバー部材のスライドする方向にそって直接目視するための目視用の凹部を有する請求項６に記載の電子機器。
【請求項８】
前記第１取り付け凹部は、前記第１突起部の先端部をはめ込んで弾性的に保持して前記カバー部材が前記スライド方向に移動するのを阻止するための弾性保持部を有する請求項６に記載の電子機器。
【請求項９】
前記本体の前面側には画像を表示する画像表示部を有し、前記画像表示部は液晶表示部である請求項６に記載の電子機器。
【請求項１０】
前記一対の第１突起部と前記一対の第２突起部は、前記一対の第１突起部の前記スライドする方向とは反対の方向にスライドすることで、前記一対の第１取り付け凹部と前記一対の第２取り付け凹部から取り外し自在である請求項６に記載の電子機器。
【発明の詳細な説明】
【０００１】
【発明の属する技術分野】
本発明は、本体に対して着脱自在に本体の背面を覆うためのカバー部材を固定して保持するためのカバー部材の保持構造およびカバー部材の保持構造を有する電子機器に関するものである。
【０００２】
【従来の技術】
電子機器の一例として、たとえば液晶表示装置を例に挙げる。この液晶表示装置は、たとえばテレビジョン受像機として用いられている。この種の液晶表示装置の本体は、その前面側に液晶表示部を有しており、その背面側にはカバー部材を設けているものがある。
カバー部材は、たとえば本体の背面側に設けられている信号用のケーブルや電源用の配線を覆うことで外観の見ばえを良くするためのカバー部材である。カバー部材を本体の背面に対して固定するために、本体の背面の四隅の位置に凹部が設けられている。これらの４つの本体の背面の凹部に対応して、カバー部材は合計４つの突起を有している。
このカバー部材を本体の背面に対して固定して保持するためには、カバー部材の４つの突起は本体の背面の４つの凹部にそれぞれ位置させて、カバー部材を本体の背面に対して平行にスライドすることにより、カバー部材を本体の背面に対して固定して保持する構造を採用している。
従来のこのような保持構造としては、電子機器の本体に対してカバーをワンタッチ方式で着脱する機構のものがある。（たとえば、特許文献１参照。）。
【０００３】
【特許文献１】
特開平６−２８３８７６号公報（第３頁、第１図）
【０００４】
【発明が解決しようとする課題】
ところが、上述したようなカバー部材の固定方式では、カバー部材の内側に４つの突起が設けられているので、作業者はカバー部材の取り付け作業中はその突起を直接見ることができない。このため、カバー部材の４つの突起を本体の背面の４つの凹部に位置合わせして同時にスライドしてはめ込む作業は、難しい。
このようなカバー部材の取り付け作業は、電子機器の組立工程においても行うこともあれば、実際に電子機器を使用するユーザーが行う場合もある。
そこで本発明は上記課題を解消し、カバー部材を本体の背面に対して簡単かつ確実に固定して保持することができ、簡単には外れないカバー部材の保持構造および電子機器を提供することを目的としている。
【０００５】
【課題を解決するための手段】
請求項１の発明は、本体に対して前記本体の背面を覆うためのカバー部材を固定して保持するためのカバー部材の保持構造であり、間隔をおいて前記本体に設けられている一対の第１取り付け凹部と、間隔をおいて前記本体に設けられている一対の第２取り付け凹部と、前記カバー部材において突出して設けられ前記一対の第１取り付け凹部に対してそれぞれ前記カバー部材をスライドすることではめ込まれて固定される一対の第１突起部と、前記カバー部材において突出して設けられ前記一対の第２取り付け凹部に対してそれぞれ前記カバーのスライド方向とは異なる方向に前記カバー部材を押し込むことではめ込まれて固定される一対の第２突起部と、を備えることを特徴とするカバー部材の保持構造である。
【０００６】
請求項１では、一対の第１取り付け凹部は、間隔をおいて本体に設けられている。一対の第２取り付け凹部は、間隔をおいて本体に設けられている。
一対の第１突起部は、カバー部材において突出して設けられている。この一対の第１突起部は、一対の第１取り付け凹部に対してそれぞれカバー部材をスライドすることではめ込まれて固定される。
一対の第２突起部は、カバー部材において突出して設けられており、この一対の第２突起部は、一対の第２取り付け凹部に対してそれぞれカバーのスライド方向とは異なる方向に第１カバー部材を押し込むことではめ込まれて固定される。
これにより、一対の第１突起部は、一対の第１取り付け凹部に対してカバー部材をスライドすることではめ込まれて固定することができる。しかも、一対の第２突起部は、それぞれカバーのスライド方向とは異なる方向にカバー部材を押し込むことではめ込まれて固定される。したがって、最初に一対の第１突起部を一対の第１取り付け凹部に対してスライドすることではめ込んだ後に、一対の第２突起部を一対の第２取り付け凹部に対してそれぞれ押し込むだけで、カバー部材は、本体の背面に対して簡単かつ確実に固定して保持することができる。
つまり、第１突起部と第２突起部を同時に第１取り付け凹部と第２取り付け凹部に位置決めしてスライドしてはめ込む必要がないので、取り付け作業が簡単である。
【０００７】
請求項２の発明は、請求項１に記載のカバー部材の保持構造において、前記本体は、前記一対の第１取り付け凹部を前記カバー部材のスライドする方向にそって直接目視するための目視用の凹部を有する。
【０００８】
請求項２では、本体の目視用の凹部があることにより、一対の第１取り付け凹部に対して一対の第１突起部をスライドしてはめ込んで固定する際の作業を作業者が直接見ながら行うことができるので、この一対の第１突起部のはめ込み固定作業が簡単になる。
【０００９】
請求項３の発明は、請求項１に記載のカバー部材の保持構造において、前記第１取り付け凹部は、前記第１突起部の先端部をはめ込んで弾性的に保持して前記カバー部材が前記スライド方向に移動するのを阻止するための弾性保持部を有する。
【００１０】
請求項３では、第１取り付け凹部の弾性保持部があることにより、第１突起部の先端部をはめ込んで弾性的に保持することで、カバー部材がスライド方向に移動してしまうのを阻止することができる。これによって、第１突起部はスライドしないように第１取り付け凹部において確実に固定することができる。
【００１１】
請求項４の発明は、請求項１に記載のカバー部材の保持構造において、前記本体の前面側には画像を表示する画像表示部を有し、前記画像表示部は液晶表示部である。
【００１２】
請求項５の発明は、請求項１に記載のカバー部材の保持構造において、前記一対の第１突起部と前記一対の第２突起部は、前記一対の第１突起部の前記スライドする方向とは反対の方向にスライドすることで、前記一対の第１取り付け凹部と前記一対の第２取り付け凹部から取り外し自在である。
これにより、カバー部材は、本体の背面に対してスライドするだけで簡単に取り外すことができる。このようにカバー部材は本体の背面に対して着脱自在である。
【００１３】
請求項６の発明は、本体に対して前記本体の背面を覆うためのカバー部材を固定して保持するためのカバー部材の保持構造を有する電子機器であり、前記カバー部材の保持構造は、間隔をおいて前記本体に設けられている一対の第１取り付け凹部と、間隔をおいて前記本体に設けられている一対の第２取り付け凹部と、前記カバー部材において突出して設けられ前記一対の第１取り付け凹部に対してそれぞれ前記カバー部材をスライドすることではめ込まれて固定される一対の第１突起部と、前記カバー部材において突出して設けられ前記一対の第２取り付け凹部に対してそれぞれ前記カバーのスライド方向とは異なる方向に前記カバー部材を押し込むことではめ込まれて固定される一対の第２突起部と、を備えることを特徴とする電子機器である。
【００１４】
請求項６では、一対の第１取り付け凹部は、間隔をおいて本体に設けられている。一対の第２取り付け凹部は、間隔をおいて本体に設けられている。
一対の第１突起部は、カバー部材において突出して設けられている。この一対の第１突起部は、一対の第１取り付け凹部に対してそれぞれカバー部材をスライドすることではめ込まれて固定される。
一対の第２突起部は、カバー部材において突出して設けられており、この一対の第２突起部は、一対の第２取り付け凹部に対してそれぞれカバーのスライド方向とは異なる方向に第１カバー部材を押し込むことではめ込まれて固定される。
これにより、一対の第１突起部は、一対の第１取り付け凹部に対してカバー部材をスライドすることではめ込まれて固定することができる。しかも、一対の第２突起部は、それぞれカバーのスライド方向とは異なる方向にカバー部材を押し込むことではめ込まれて固定される。したがって、最初に一対の第１突起部を一対の第１取り付け凹部に対してスライドすることではめ込んだ後に、一対の第２突起部を一対の第２取り付け凹部に対してそれぞれ押し込むだけで、カバー部材は、本体の背面に対して簡単かつ確実に固定して保持することができる。
つまり、第１突起部と第２突起部を同時に第１取り付け凹部と第２取り付け凹部に位置決めしてスライドしてはめ込む必要がないので、取り付け作業が簡単である。
【００１５】
請求項７の発明は、請求項６に記載の電子機器において、前記本体は、前記一対の第１取り付け凹部を前記カバー部材のスライドする方向にそって直接目視するための目視用の凹部を有する。
【００１６】
請求項７では、本体の目視用の凹部があることにより、一対の第１取り付け凹部に対して一対の第１突起部をスライドしてはめ込んで固定する際の作業を作業者が直接見ながら行うことができるので、この一対の第１突起部のはめ込み固定作業が簡単になる。
【００１７】
請求項８の発明は、請求項６に記載の電子機器において、前記第１取り付け凹部は、前記第１突起部の先端部をはめ込んで弾性的に保持して前記カバー部材が前記スライド方向に移動するのを阻止するための弾性保持部を有する。
【００１８】
請求項８では、第１取り付け凹部の弾性保持部があることにより、第１突起部の先端部をはめ込んで弾性的に保持することで、カバー部材がスライド方向に移動してしまうのを阻止することができる。これによって、第１突起部はスライドしないように第１取り付け凹部において確実に固定することができる。
【００１９】
請求項９の発明は、請求項６に記載の電子機器において、前記本体の前面側には画像を表示する画像表示部を有し、前記画像表示部は液晶表示部である。
【００２０】
請求項１０の発明は、請求項６に記載の電子機器において、前記一対の第１突起部と前記一対の第２突起部は、前記一対の第１突起部の前記スライドする方向とは反対の方向にスライドすることで、前記一対の第１取り付け凹部と前記一対の第２取り付け凹部から取り外し自在である。
これにより、カバー部材は、本体の背面に対してスライドするだけで簡単に取り外すことができる。このようにカバー部材は本体の背面に対して着脱自在である。
【００２１】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２２】
図１は、本発明の電子機器の一例である液晶表示装置の正面側から見た斜視図であり、図２は、液晶表示装置の背面側から見た分解斜視図である。
液晶表示装置１０は、たとえばテレビジョン受像機として用いることができるものであるが、これに限らずコンピュータのモニター装置としても用いることができる。
【００２３】
図３は液晶表示装置１０の正面図であり、図４は液晶表示装置１０の平面図である。図５は液晶表示装置１０の側面図であり、図６は液晶表示装置１０の背面図である。
図１と図３に示すように、液晶表示装置１０は、概略的には本体１２、スタンド１４、そしてカバー部材２０を有している。カバー部材２０の形状例は、図４と図５に示してある。
【００２４】
図３に示すように、本体１２の前面２３側には、画像表示部の一例として液晶表示部２１が設けられている。この液晶表示部２１は、画像情報や文字情報やその他の情報を表示することができる。液晶表示部２１は前面２３側に設けられているが、カバー部材２０は本体１２の背面２４側に設けられている。
図３に示すように本体１２の前面２３側には、スピーカー２５、電源／パワーセーブランプ２６、スタンバイ／ＯＦＦタイマー２７、リモコン受光部２８等を有している。
また本体１２の下部には、映像や音声の入力端子部２９が設けられている。
【００２５】
図５に示すように本体１２の側面には、電源ボタン３０、チャンネルボタン３１、音量ボタン３２、入力切替ボタン３３等が設けられている。
カバー部材２０は、図２、図４および図５に示すように本体１２の背面２４を全面的に覆う大きさを有している。カバー部材２０はほぼ長方形状であるが、本体１２の背面２４の湾曲に応じて湾曲した形状になっている。
図２と図６に示すように、アンテナ端子（ＶＨＦ／ＵＨＦ）４０、ビデオの音声および映像入力端子４１やＤＣ（直流）入力端子４２等が設けられている。背面２４の中央部には、たとえば長方形状の凹部である収容部４４が設けられている。この収容部４４は、各種の上述したようなビデオ入力やアンテナ入力あるいはＤＣ入力等のラインを通して、スタンド１４の穴４５から外部に導き出すための部分である。
【００２６】
図７は、図６の本体１２の背面２４の形状をより詳しく示している。図８は、背面２４が後ろ側Ｔに向けて湾曲している形状例を示している。
図９は、図２に示すカバー部材２０の内面５０側を示しており、図１０はカバー部材２０の外面５１側を示している。図１１は、カバー部材２０の断面図を示しており、カバー部材２０は後ろ側Ｔに向けて湾曲している状態を示している。
【００２７】
図６と図７に戻ると、本体１２の背面２４には、一対の第１取り付け凹部６０，６１および一対の第２取り付け凹部７０，７１が設けられている。一対の第１取り付け凹部６０，６１は、図６に示す背面２４の上側の右角部８０と左角部８１にそれぞれ設けられている。
第２取り付け凹部７０，７１は、背面２４の下側の右角部９０と左角部９１にそれぞれ設けられている。
一対の取り付け凹部６０，６１は同じ形状を有している。これに対して、一対の第２取り付け凹部７０，７１は、背面２４の中心線ＣＬを中心として左右対称形状を有している。
本体１２の背面２４の一対の第１取り付け凹部６０，６１の上側には、目視用凹部８３がそれぞれ設けられている。この目視用凹部８３の用途については、後で説明する。
【００２８】
図２に示すカバー部材２０の内面５０側には、一対の第１突起部９０，９１と一対の第２突起部１００，１０１が、カバー部材２０の内面５０に対して垂直に突出して設けられている。
これらの一対の第１取り付け凹部６０，６１、一対の第２取り付け凹部７０，７１、一対の第１突起部９０，９１、そして一対の第２突起部１００，１０１は、図２に示すようにカバー部材２０の保持構造を構成している。
【００２９】
図９のカバー部材２０の内面５０側には、上述した第１突起部９０，９１と第２突起部１００，１０１が突出して設けられている。第１突起部９０，９１は、図９においてカバー部材２０の内面５０の左側の角部１２０と右側の角部１２１において突出して設けられている。一対の第２突起部１００，１０１は、カバー部材２０の内面５０の下側の左角部１３０、右側の角部１３１にそれぞれ突出して設けられている。
【００３０】
図１２と図１３は、一対の第１取り付け凹部６０，６１の形状例を示している。図１４と図１５は、一対の第２取り付け凹部７０，７１の形状例について示している。
【００３１】
まず図１２と図１３を参照しながら、一対の第１取り付け凹部６０，６１の形状例について説明する。
図１２は、図６の第１取り付け凹部６０の付近を含む部分Ａを拡大して示している。この第１取り付け凹部６０の形状と図６に示す第１取り付け凹部６１の形状は、同じ形状になっている。従って図１２には部分Ａのみを拡大して代表して示している。
図１２の部分Ａに示すように、第１取り付け凹部６０の上部には、目視用凹部８３が形成されている。この目視用凹部８３は、本体１２の背面２４の上部に形成されている凹部であり、部分８３Ａに比べてスライド方向Ｅに沿ってへこんだ形状になっている。この目視用凹部８３は、左右の第１取り付け凹部６０，６１の上部にある。目視用凹部８３は、第１取り付け凹部６０をＥ方向、すなわち後で示すカバー部材２０のスライド方向Ｅに沿って、この第１取り付け凹部６０を作業者もしくはユーザーが直接目視で見ることができるようにするために、本体１２の上部に設けられた凹部である。
同様にして、図６に示すように第１取り付け凹部６１の付近にも、目視用凹部８３が設けられており、この目視用凹部８３を用いて、作業者もしくはユーザーが、カバー部材２０の取り付け作業の際に下向きに第１取り付け凹部６１を直接カバー部材２０のスライド方向Ｅに沿って見ることができるようになっている。
【００３２】
図１３は、図１２における第１取り付け凹部６０のＣ−Ｃ線における断面構造例を示している。図１３（Ａ）では、第１取り付け凹部６０に対して第１突起部９０がはめ込んで固定される前の状態を示しており、図１３（Ｂ）は、第１取り付け凹部６０に対して第１突起部９０がはめ込んで固定された状態を示している。
【００３３】
図１２と図１３に示すように、第１取り付け凹部６０は、２つのサイド部１４０，１４０と、はめ込み穴部１４１および弾性保持部１４３を有している。はめ込み穴部１４１の大径部１４４は、小径部１４５よりも大きいものである。
弾性保持部１４３は、好ましくは図１２と図１３（Ａ）に示すように半球状の突部１４５を有している。この突部１４５は、第１突起部９０の先端部に設けられた半球状の穴部１４６に対してはまり込む部分である。この突部１４５が穴部１４６にはまり込んだ状態では、図１３（Ｂ）に示すように弾性保持部１４３が第１突起部９０をＨ方向、すなわちカバー部材２０とほぼ垂直方向に押し付けて、第１突起部９０は第１取り付け凹部６０の係合部１４８の内面に対して押し付けることにより、はめ込んで固定することができる。
【００３４】
次に、図１４と図１５を参照して、背面２４の第２取り付け凹部７０，７１の形状について説明する。
図１４に示すように、第２取り付け凹部７０，７１は、第１取り付け凹部６０，６１と異なり、既に述べたように背面２４の中心線ＣＬを中心として左右対称形状になっていることが特徴的である。
図１５は、図１４の第２取り付け凹部７０の形状を拡大して代表して示している。しかし第２取り付け凹部７１の形状は、第２取り付け凹部７０の形状と左右対称形状であるので、その説明を利用することにする。
【００３５】
第２取り付け凹部７０は、ほぼ長円形状のはめ込み穴部１７０を有している。このはめ込み穴部１７０はほぼ円形状の大径部１７１を有しているが、この大径部１７１は、変形部１７２につながっている。この変形部１７２の内側の部分は、係合部１７３を有している。
図１４に示すように第２取り付け凹部７１は、第２取り付け凹部７０と左右対称形状であるので同じ符号を記してその説明を用いることにする。従って第２取り付け凹部７０の変形部１７２の中心線ＣＬ寄りの位置に係合部１７３が設けられている。第２取り付け凹部７１の変形部１７２の中心線ＣＬ寄りの位置に、係合部１７３が設けられている。
【００３６】
次に、図１６に示す一対の第１突起部９０，９１と、図１７に示す一対の第２突起部１００，１０１の形状例について説明する。
図１６に示す第１突起部９０，９１は、軸部１９０と係合突部１９３を有している。軸部１９０は、円柱状の軸であり、カバー部材２０の内面５０に対して垂直に突出して形成されている。軸部１９０の先端部分には、たとえば扇形もしくは半円形状の係合突部１９３が形成されている。
この係合突部１９３は、図１３（Ｂ）に示すように、第１取り付け凹部６０，６１の弾性保持部１４３と係合部１４８の間にはめ込んで固定されるようになっている。この場合に、図１６と図１３（Ｂ）に示す第１突起部９０，９１の穴部１４６に対して、弾性保持部１４３の突部１４５がはめ込まれるようになっている。この穴部１４６は軸部１９０の先端部分に対して形成されている。
【００３７】
図１７に示す第２突起部１００は、軸部２００と係合突部２０１を有している。第２突起部１０１は、軸部２００と係合突部２０３を有している。係合突部２０１と係合突部２０３は、やはりほぼ扇形形状になっている。ただし係合突部２０１と係合突部２０３は、軸部２００の中心軸ＣＬ１に対して内側にずれた位置にあり、係合突部２０１，２０３の中心軸と軸部２００の中心軸ＣＬ１は一致していない。
【００３８】
図２に示す本体１２とカバー部材２０は、プラスチックや金属により作ることができる。カバー部材２０は、プラスチックや金属のいずれで作ったとしても、薄板形状であり、しかも湾曲しているので、カバー部材２０自体は図２においてＧ方向に弾性変形可能である。
【００３９】
次に、上述した液晶表示装置１０の本体１２の背面２４に対して、カバー部材２０を取り付ける取り付け方法について、図１８と図１９を参照しながら説明する。
図１８は、背面２４に対してカバー部材２０を取り付ける手順について示している。図１９は、第２取り付け凹部７０，７１に対して第２突起部１００，１０１が押し付けてはめ込まれることで固定される手順の例を示している。
【００４０】
（１）第１取り付け凹部６０，６１に対して、カバー部材２０の第１突起部９０，９１をスライドして取り付ける工程
図１８（Ａ）と図１８（Ｂ）に示すように、カバー部材２０は本体１２の背面２４に対してやや持ち上げた状態で、カバー部材２０の第１突起部９０，９１を背面２４の第１取り付け凹部６０，６１に対して上方から下向きに、つまりスライド方向Ｅに沿ってスライドしてはめ込んで固定する。
図１２に示すように第１取り付け凹部６０，６１は、目視用凹部８３によりスライド方向Ｅに沿って開放されている。このために、作業者もしくはユーザーは、カバー部材２０を持った状態で、第１突起部９０，９１が第１取り付け凹部６０，６１に対するそれぞれの嵌合される状態を目視で確認しながら、スライド方向Ｅに沿って下げていくことにより、カバー部材２０の第１突起部９０，９１は、それぞれ第１取り付け凹部６０，６１に対して簡単にはめ込んで固定することができる。
この時に、下方の第２突起部１００，１０１の取り付けには注意を払う必要はない。
【００４１】
この場合に、図１３（Ｂ）に示すように、第１突起部９０，９１の係合突部１９３が、第１取り付け凹部６０，６１の弾性保持部１４３と係合部１４８の内面の間にはまり込む。しかも、第１突起部９０，９１の穴部１４６には弾性保持部１４３の突部１４５がはまり込んだ状態で、弾性保持部１４３は係合突部１９３を係合部１４８の内面側に弾性的に押し付ける。これによって、図１３（Ｂ）に示すように、第１突起部９０，９１は、第１取り付け凹部６０，６１からＥ１方向にはスライドはしないので、一対の第１突起部９０，９１は一対の第１取り付け凹部６０，６１からは簡単には外れなくなる。しかも、弾性保持部１４３と係合部１４８は、第１突起部９０，９１の係合突部１９３を挟んだ状態で保持しているので、Ｈ方向に関しても第１突起部９０，９１をはめ込んで固定することができる。
このように図１８（Ｃ）に示すようにカバー部材２０の第１突起部９０，９１が本体１２側に固定された状態で、次の工程に移る。
【００４２】
（２）第２取り付け凹部７０，７１に対して、カバー部材２０の第２突起部１００，１０１を押し込んではめ込むはめ込み工程
図１８（Ｃ）に示すようにカバー部材２０の第２突起部１００，１０１は、Ｋ方向に沿って背面２４の第２取り付け凹部７０，７１に対して押し付けることによりはめ込んで固定することができるようになっている。
これにより図１８（Ｄ）に示すようにカバー部材２０は、背面２４に対してカバー部材の保持構造１１０を用いて簡単かつ容易に固定することができる。
従来のように４つの突起部を４つの穴部に対して同時に位置合わせしてカバー部材を背面側に対してスライドする取り付け作業をするのに対して、本発明の実施の形態では、まず上述したように第１突起部９０，９１はスライド方向Ｅにスライドして取り付けて、次に第２突起部１００，１０１は背面２４側の第２取り付け凹部７０，７１に対してＫ方向に、すなわち背面２４に対してほぼ垂直方向に押し付けるだけで簡単かつ確実に固定することができる。このＫ方向はスライド方向Ｅとは異なる方向であり、ほぼ垂直の方向である。
【００４３】
図１９に示すように、このようにＫ方向に押し付けて固定する場合には、第２取り付け凹部７０，７１に対して、一対の第２突起部１００，１０１ははめ込んで固定することができる。この際には、カバー部材２０が図２に示すＧ方向に湾曲できることを利用している。
図１９（Ａ）では、図１８（Ｃ）のようにカバー部材２０が第１突起部９０，９１を回転中心としてＫ方向にほぼ垂直に移動して第２取り付け凹部７０，７１に対面した場合の状態を示している。
ユーザーまたは作業者は、カバー部材２０の第２突起部１００，１０１より中央寄りの部分を背面２４側に押し付ける。これにより、第２突起部１００，１０１の端部は、図１９（Ａ）の左右方向Ｊに沿ってそれぞれ離れるように開く。
したがって図１９（Ｂ）に示すように、第２突起部１００，１０１の係合突部２０１，２０３は、第２取り付け凹部７０，７１内に嵌合することになる。
その結果、第２突起部１００，１０１の係合突部２０１，２０３は、第２取り付け凹部７０，７１の係合部１７３の内側に係合されることになる。このようにして、第１突起部１００，１０１の係合突部２０３，２０１は、第２取り付け凹部７０，７１の係合部１７３の内側に対して係合されることにより、はめ込んだ状態で固定することができる。これで第１突起部９０，９１と第２突起部１００，１０１を用いて、４箇所でカバー部材が本体に対して固定される。
【００４４】
（３）カバー部材２０の取り外し工程
カバー部材２０の取り外しは、ユーザーが各種ケーブル等を取り付けたり取り外す時に、必ず必要な工程である。
カバー部材２０を取り外すには、カバー部材２０は、図１８（Ｄ）に示すように取り外し用のスライド方向Ｅ１に沿って上方に持ち上げてスライドさせることで、図１６に示す第１突起部９０，９１の係合突部１９３が図１２に示す第１取り付け凹部６０，６１の大径部１４４から外れると共に、図１７に示す第２突起部１００，１０１の係合突部２０１，２０３が図１９に示す第２取り付け凹部７０，７１の大径部１７１，１７１から外れる。このスライド方向Ｅ１はスライド方向Ｅとは逆方向である。
このようにしてカバー部材２０は合計４箇所において簡単に取り付け取り外しができる。
【００４５】
ところで本発明は上記実施の形態に限定されるものではない。
上述した実施の形態では、カバー部材の保持構造を有する電子機器の例として、液晶表示装置を例に挙げている。しかしこれに限らず、この種の電子機器は、画像表示部を有する電子機器の例として、陰極線管を有するテレビジョン受像機やモニター装置、オーディオ装置、デスクトップ型のコンピュータあるいはプラズマディスプレイパネル型の表示装置、有機ＥＬ（エレクトロルミネッセンス）表示装置等、多種多様なものがあり、特に限定されるものではない。
【００４６】
【発明の効果】
以上説明したように、本発明によれば、カバー部材を本体の背面に対して簡単かつ確実に固定して保持することができ、簡単には外れない。
【図面の簡単な説明】
【図１】本発明の電子機器の一例である液晶表示装置の前側を示す斜視図。
【図２】図１の液晶表示装置の後ろ側を示す分解斜視図。
【図３】図１の液晶表示装置の正面図。
【図４】図３の液晶表示装置の平面図。
【図５】図３の液晶表示装置の側面図。
【図６】図３の液晶表示装置の背面を示す図。
【図７】図６の液晶表示装置の背面をより詳しく示す図。
【図８】液晶表示装置の背面の湾曲状態を示す図。
【図９】液晶表示装置のカバー部材の内面側を示す図。
【図１０】液晶表示装置のカバー部材の外面側を示す図。
【図１１】カバー部材の湾曲状態を示す図。
【図１２】第１取り付け凹部の形状例を示す正面図。
【図１３】図１２の第１取り付け凹部のＣ−Ｃ線における断面図。
【図１４】第２取り付け凹部の形状例を示す図。
【図１５】図１４の第２取り付け凹部の形状を拡大して示す図。
【図１６】第１突起部の形状例を示す斜視図。
【図１７】第２突起部の形状例を示す斜視図。
【図１８】カバー部材を本体の背面に対してはめ込んで固定する工程例を示す図。
【図１９】第２取り付け凹部に対して第２突起部を押し付けて撓ませながらはめ込む状態の例を示す図。
【符号の説明】
１０・・・液晶表示装置（電子機器の一例）、１２・・・本体、２０・・・カバー部材、２１・・・液晶表示部、２３・・・本体の前面、２４・・・本体の背面、６０，６１・・・一対の第１取り付け凹部、７０，７１・・・一対の第２取り付け凹部、８３・・・第１取り付け凹部の目視用凹部、９０，９１・・・一対の第１突起部、１００，１０１・・・一対の第２突起部、１１０・・・カバー部材の保持構造、１４３・・・第１取り付け凹部の弾性保持部
【図１】
2004119622.tif 000003
【図２】
2004119622.tif 000004
【図３】
2004119622.tif 000005
【図４】
2004119622.tif 000006
【図５】
2004119622.tif 000007
【図６】
2004119622.tif 000008
【図７】
2004119622.tif 000009
【図８】
2004119622.tif 000010
【図９】
2004119622.tif 000011
【図１０】
2004119622.tif 000012
【図１１】
2004119622.tif 000013
【図１２】
2004119622.tif 000014
【図１３】
2004119622.tif 000015
【図１４】
2004119622.tif 000016
【図１５】
2004119622.tif 000017
【図１６】
2004119622.tif 000018
【図１７】
2004119622.tif 000019
【図１８】
2004119622.tif 000020
【図１９】
2004119622.tif 000021